(57)【要約】【課題】天板１に開設したバーナ用開口１１の周縁とバーナ２の外周面との間の隙間を閉塞する、天板１に装着される環状のバーナリング４を備えるガスコンロであって、バーナリングの下面に、バーナをバーナリングに挿通する際のガイドとなるガイド部４３が垂設されているものにおいて、バーナリングへの熱による煮こぼれ汁のこびり付きを抑制できるようにする。【解決手段】バーナリング４の下面のガイド部４３の外側面に表面積を増す突条４３ａを形成する。ガイド部４３からの放熱が促進され、バーナリング４の温度上昇が抑制されて、バーナリング４に煮こぼれ汁がこびり付きにくくなる。【選択図】図２
2008002783.tif 000002
【特許請求の範囲】
【請求項１】
天板と、天板に開設されたバーナ用開口を通して天板の上方に突出する、上端部外周に多数の炎孔が設けられたバーナと、バーナ用開口の周縁とバーナの外周面との間の隙間を閉塞する、天板に装着される環状のバーナリングとを備えるガスコンロであって、バーナリングの下面に、バーナをバーナリングに挿通する際のガイドとなるガイド部が垂設されているものにおいて、
ガイド部に表面積を増加するための突条が形成されていることを特徴とするガスコンロ。
【請求項２】
前記突条は前記ガイド部のバーナ側とは逆の外側面に形成されていることを特徴とする請求項１記載のガスコンロ。
【請求項３】
前記天板の下面に設けられる裏板に、バーナ用開口内に舌片状に張り出す周方向複数箇所の固定部が形成され、これら固定部にねじ止めされる複数の取付け座が前記バーナリングの下面に形成され、これら各取付け座の周方向に隣接して前記ガイド部が設けられていることを特徴とする請求項１又は２記載のガスコンロ。
【発明の詳細な説明】
【技術分野】
【０００１】
本発明は、天板と、天板に開設されたバーナ用開口を通して天板の上方に突出する、上端部外周に多数の炎孔が設けられたバーナとを備えるガスコンロに関する。
【背景技術】
【０００２】
従来、この種のガスコンロにおいて、煮こぼれ汁がコンロ本体内に落下することを防止するため、バーナ用開口の周縁とバーナの外周面との間の隙間を閉塞する環状のバーナリングを設けたものが知られている(特許文献１参照)。このバーナリングは天板に装着されており、コンロ本体上に天板をセットする際にバーナがバーナリングに挿通されるようにしている。また、バーナリングの下面には、バーナをバーナリングに挿通する際のガイドとなる筒状のガイド部が垂設されている。
【０００３】
ところで、バーナリングはバーナ炎からの輻射熱で高温になる。そのため、バーナリング上に落下した煮こぼれ汁がバーナリングにこびり付きやすくなり、手入れが面倒になる不具合がある。
【特許文献１】特開２００２−１３７３９号公報
【発明の開示】
【発明が解決しようとする課題】
【０００４】
本発明は、以上の点に鑑み、バーナリング下面のガイド部を利用してバーナリングの放熱を促進し、煮こぼれ汁のこびり付きを抑制できるようにしたガスコンロを提供することをその課題としている。
【課題を解決するための手段】
【０００５】
上記課題を解決するために、本発明は、天板と、天板に開設されたバーナ用開口を通して天板の上方に突出する、上端部外周に多数の炎孔が設けられたバーナと、バーナ用開口の周縁とバーナの外周面との間の隙間を閉塞する、天板に装着される環状のバーナリングとを備えるガスコンロであって、バーナリングの下面に、バーナをバーナリングに挿通する際のガイドとなるガイド部が垂設されているものにおいて、ガイド部に表面積を増加するための突条が形成されていることを特徴とする。
【０００６】
本発明によれば、バーナリングの下面のガイド部に突条を形成することでバーナリングの表面積が増し、ガイド部からの放熱が促進される。そのため、バーナリングの温度上昇が抑制されて、バーナリングに煮こぼれ汁がこびり付きにくくなる。
【０００７】
尚、ガイド部のバーナ側の面(内側面)に突条を形成することも可能であるが、ガイド部の内側面とバーナとの間には熱がこもるため、放熱しにくくなる。これに対し、ガイド部のバーナ側とは逆の外側面に突条を形成すれば、ガイド部の外側面から効率良く放熱されるようになり、有利である。
【０００８】
ところで、バーナリングを天板に装着する手法として、天板の下面に設けられる裏板に、バーナ用開口内に舌片状に張り出す周方向複数箇所の固定部を形成すると共に、バーナリングの下面にこれら固定部に対応する複数の取付け座を形成し、バーナリングを取付け座において固定部にねじ止めすることが考えられる。この場合、ねじ止め前に、各取付け座と各固定部とが重なるようにバーナリングと裏板とを位置決めすることが必要になる。ここで、各取付け座の周方向に隣接して上記ガイド部が設けられていれば、ガイド部の取付け座側の側縁を固定部の側縁に当接させることでバーナリングと裏板とを容易に位置決めでき、バーナリングの装着作業性が向上する。
【発明を実施するための最良の形態】
【０００９】
図１、図２を参照して、１はガスコンロの天板を示している。天板１は、セラミックガラス等のガラス製の平板又はアルミニウム等の金属製の平板で構成されている。天板１にはバーナ用開口１１が開設されており、このバーナ用開口１１を通してバーナ２が天板１の上方に突出している。また、天板１上には、環状の五徳枠３１に複数の五徳爪３２を取付けて成る五徳３がバーナ用開口１１を囲うようにして載置されている。
【００１０】
バーナ２は、天板１で覆われるコンロ本体内に配置される混合管２１と、混合管２１の下流端部から上方にのび、バーナ用開口１１を通して天板１の上方に突出する内外２重筒構造のバーナボディ２２と、バーナボディ２２上に載置される環状のバーナヘッド２３とで構成されている。バーナヘッド２３の下面外周部には多数の歯形が垂設されており、バーナ２の上端部外周にこれら歯形間の隙間で構成される多数の炎孔２４が設けられている。
【００１１】
尚、バーナボディ２２の外周には、その外筒部の上端から垂下する筒状のスカート部２２ａが設けられている。また、バーナ２には、スカート部２２ａの外側に位置させて、点火電極２５と失火検知用の熱電対２６とが付設され、更に、バーナヘッド２３を上方から覆うバーナカバー２７が設けられている。バーナカバー２７は、煮こぼれ汁がバーナ２の内径部を通してコンロ本体内に落下することを防止すると共に、コンロ本体内からバーナ２の内径部を通して上昇する空気を炎孔２４の近傍に二次空気として導く機能を有する。
【００１２】
また、天板１には、バーナ用開口１１の周縁とバーナ２(スカート部２２ａ)の外周面との間の隙間から煮こぼれ汁がコンロ本体内に落下することを防止するため、この隙間を閉塞する環状のバーナリング４が以下の如く装着されている。尚、バーナリング４はアルミニウムのダイキャスト品で構成されている。
【００１３】
天板１の下面には、バーナ用開口１１を囲うようにして板金製の裏板１２が設置されている。図３を参照して、裏板１２には、バーナ用開口１１内に舌片状に張り出す周方向３箇所の固定部１３が形成され、また、バーナリング４の下面には、これら固定部１３に対応する周方向３箇所の取付け座４１が形成されている。そして、バーナリング４の外周部下面を天板１のバーナ用開口１１の周辺部上面に着座させると共に、各固定部１３に形成した孔１３ａに下方からねじ４２を挿通して、ねじ４２を各取付け座４１に形成したねじ孔４１ａに螺合させることにより、バーナリング４を天板１に装着している。尚、裏板１２は天板１に固定されておらず、そのため、バーナリング４は天板１に対し水平に動き得る。
【００１４】
バーナリング４の下面には、更に、バーナ２用のガイド部４３が垂設されている。ガイド部４３の内側面は下方に向けて径方向外方に傾斜するテーパー面に形成されている。かくして、天板１をコンロ本体上にセットする際に、バーナ２がガイド部４３の内側面に案内されてスムーズにバーナリング４に挿通される。そして、バーナリング４がバーナ２に倣って天板１に対し水平に動き、バーナ２がバーナ用開口１１に対し多少芯ずれしていても、バーナ２はバーナリング４に確実に嵌合する。
【００１５】
バーナ２に付設した点火電極２５と熱電対２６はバーナリング４に形成した対応する孔４４，４５を通してバーナリング４の上方に突出する。そして、点火電極２５と熱電対２６とによりバーナリング４が回り止めされる。また、バーナリング４の外周部には２箇所の凹欠部４６が形成されている。そして、五徳３の複数の五徳爪３２のうち２個の五徳爪３２の下辺部を五徳枠３１の内方に延長し、この延長部３２ａを凹欠部４６に係合させることで、五徳３を回り止めしている。
【００１６】
上記ガイド部４３は基本的に筒状であるが、点火電極２５の配置部と熱電対２６の配置部では干渉防止のためにガイド部４３が切り欠かれ、更に、各取付け座４１の形成部分でもガイド部４３が切り欠かれている。かくして、各取付け座４１の周方向に隣接してガイド部４３が設けられることになる。ここで、バーナリング４を天板１に装着する際は、裏板１２の各固定部１３にバーナリング４の各取付け座４１をねじ止めする前に、各固定部１３と各取付け座４１とが重なるように裏板１２とバーナリング４とを位置決めすることが必要になる。この位置決めは、取付け座４１に隣接するガイド部４３の側縁を固定部１３の側縁に当接させることで容易に行うことができ、バーナリング４の装着作業性が向上する。
【００１７】
ところで、バーナリング４はバーナ２の炎孔２４から噴出する混合気の燃焼で生ずる火炎からの輻射熱で加熱される。そして、バーナリング４が高温になると、バーナリング４上に落下した煮こぼれ汁がバーナリング４にこびり付きやすくなる。
【００１８】
そこで、本実施形態では、ガイド部４３のバーナ２側とは逆の外側面に上下方向に長手の突条４３ａを周方向の間隔を存して複数形成している。これにより、ガイド部４３の表面積が増し、バーナリング４の熱がガイド部４３を介して効率良く放熱されるようになる。その結果、バーナリング４の温度上昇が抑制されて、バーナリング４に煮こぼれ汁がこびり付きにくくなる。
【００１９】
尚、バーナリング４の上面には、煮こぼれ汁がバーナリング４上に滞留しないように、径方向外方に向かう下り勾配が付けられ、更に、フッ素コーティングが施されている。然し、これだけでは煮こぼれ汁が熱でバーナリング４にこびり付くことを防止できない。従って、ガイド部４３に突条４３ａを形成して、ガイド部４３からの放熱を促進することは、煮こぼれ汁のこびり付きを防止する上で非常に重要である。
【００２０】
また、本実施形態では、ガイド部４３からの放熱効率を向上させるため、ガイド部４３の表面に高輻射材料をコーティングしている。これにより、バーナリング４の上面の温度上昇が更に２０〜３０℃程度低減される。高輻射材料としては、フッ素樹脂、シリコーン樹脂、ポリアミドイミド樹脂、ポリイミド樹脂等の黒色系の耐熱性樹脂塗料が好ましい。
【００２１】
以上、本発明の実施形態について図面を参照して説明したが、本発明はこれに限られない。例えば、上記実施形態では、ガイド部４３の外側面に突条４３ａを形成したが、ガイド部４３の内側面に突条を形成することも可能である。但し、ガイド部４３の内側面とバーナ２との間には熱がこもりやすく、放熱性を向上させるには上記実施形態のようにすることが望ましい。また、上記実施形態では、突条４３ａを上下方向に長手としたが、周方向に長手の突条を形成しても良い。
【図面の簡単な説明】
【００２２】
【図１】本発明の実施形態のガスコンロの要部の斜視図。
【図２】図１のＩＩ−ＩＩ線で切断した断面図。
【図３】実施形態のガスコンロに設けられたバーナリングと裏板の斜め下方から見た斜視図。
【符号の説明】
【００２３】
１…天板、１１…バーナ用開口、１２…裏板、１３…固定部、２…バーナ、２４…炎孔、４…バーナリング、４１…取付け座、４３…ガイド部、４３ａ…突条。
【図１】
2008002783.tif 000003
【図２】
2008002783.tif 000004
【図３】
2008002783.tif 000005